(57)【特許請求の範囲】
【請求項１】
筒状の巻取シャフトと、
該巻取シャフトの周方向の一部分に軸線方向に沿って形成された一対の平行な段部付縁部と、
シート状の開閉体と、
該開閉体の厚みより大きい厚みで形成され、該開閉体の吊元側となる端縁に沿って固着された抜止部材と、
前記軸線方向に沿って平行な両端縁部を前記一対の段部付縁部の各段部に載置して止着されるとともに、前記開閉体の厚みより大きく抜止部材の厚みより小さいスリット開口を有し、側部開口から挿入された前記抜止部材を介し開閉体の端縁を抜止保持する保持溝部を備え、該保持溝部のスリット開口が前記開閉体の繰り出し方向に開口している吊元部材と、
を具備し、
前記一対の平行な段部付縁部は、前記巻取シャフトの外周面から半径方向に低所となる位置に周方向に間隔をおいて対称方向に略Ｌ字状に形成され、
前記吊元部材は、前記一対の段部付縁部の各段部内に載置された状態において、吊元部材の一方の端縁部が一方の段部に止着手段により止着されるとともに、前記抜止保持された前記開閉体の自重により吊元部材が引っ張られて、吊元部材の他方の端縁部が他方の段部の起立面に当接されて掛止された状態になることを特徴とするシャッターの巻取部の構造。
【請求項２】
請求項１記載のシャッターの巻取部の構造であって、
前記巻取シャフトは、軸の外周に、半径方向に複数の支持板を介して巻筒が支持固定された構造であり、隣接する支持板の間に前記一対の平行な段部付縁部が設けられていることを特徴とするシャッターの巻取部の構造。
【請求項３】
請求項１又は２記載のシャッターの巻取部の構造であって、
前記吊元部材には、その前記一方の端縁部に沿って、吊元部材の両端にわたって、前記止着手段が止着される切欠溝が形成されていることを特徴とするシャッターの巻取部の構造。
【請求項４】
請求項１乃至３のいずれか１つに記載のシャッターの巻取部の構造であって、
前記吊元部材が、前記巻取シャフトの周面に沿う湾曲面で構成されていることを特徴とするシャッターの巻取部の構造。
【請求項５】
請求項１乃至４のいずれか１つに記載のシャッターの巻取部の構造であって、
前記吊元部材の前記保持溝部に沿う一方の端縁部には、開閉体繰り出し側の一方の前記段部付縁部に係止する係止爪が設けられたことを特徴とするシャッターの巻取部の構造。
【請求項６】
請求項１乃至５のいずれか１つに記載のシャッターの巻取部の構造であって、
前記抜止部材が、ファスナーの一対の務歯列をなす一方の係合子群であることを特徴とするシャッターの巻取部の構造。
【発明の詳細な説明】
【技術分野】
【０００１】
本発明は、シャッターの巻取部の構造に関し、さらに詳しくは、シート状のシャッターカーテンを巻き取る巻取部の構造に関する。
【背景技術】
【０００２】
シャッターにはシート状の開閉体であるシャッターカーテンを巻取シャフトに巻装するものがある。シート状シャッターカーテンは、その素材の特性から、伸縮しやすい、柔軟である、或いは剛性がないなど、短冊板状の金属製スラットよりなるシャッターカーテンとは異なることから、巻取シャフトとの連結構造に工夫が必要となる。例えば特許文献１の耐火スクリーンは、難燃性耐火シート体の上端部を棒状芯材に巻いて折り返し、この折返部を巻取ドラムの複数のねじ孔へ取付ねじにて螺着し連結する。
【０００３】
また、特許文献２の開閉体は、巻取シャフトとの間に挿入部を形成する吊元部材を巻取シャフトに固定し、挿入部にスクリーンカーテンの上端部を挿入し、吊元部材及びスクリーンカーテンを貫通するねじによって吊元部材と巻取シャフトとでスクリーンカーテンの上端部を挟持固定して連結する。さらに、特許文献３のシートシャッターは、シート体の上端部に袋状部を形成し、この袋状部にフラットバーを内装し、フラットバーを内装した袋状部を吊り元部としてビス等で巻取シャフトに固着して連結する。
【先行技術文献】
【特許文献】
【０００４】
【特許文献１】特開平１０−２０１８６９号公報
【特許文献２】特開２０００−８７６６５号公報
【特許文献３】特開２０００−２６５７６１号公報
【発明の概要】
【発明が解決しようとする課題】
【０００５】
しかしながら、従来のシャッターの巻取部の構造は、剛性がなく柔らかいシート状シャッターカーテンを巻取シャフトに直接固定している構造としていることから、吊元部を軸芯に沿って平行にシャッターカーテンの端縁をまっすぐに揃えて固定することや、左右幅方向の寸法を均等に出すこと、吊元部を弛みなく固定することが多くの手間や器用さを必要とする作業となっていた。さらに、シート状シャッターカーテンの吊元部に予め開けておいた穴と、巻取シャフトの固定穴とを正確に合わせることが煩雑であった。また、現場でシート状シャッターカーテンを取り付ける際、吊元部を押さえ、その状態でビス等により固定する方法が標準のため、配設個所が高所であることからも施工作業者は多数の人員が必要であり、少ない人数で施工を行うことが困難であった。このような取付施工の難しさは、シート状シャッターカーテンを交換する際のメンテナンス時、すなわち巻取シャフトに対するシャッターカーテンの脱着作業の際にも同様に発生した。
【０００６】
本発明は上記状況に鑑みてなされたもので、開閉体を容易かつ正確に位置決めしてつり込むことができるシャッターの巻取部の構造を提供し、もって、施工人員を削減して施工を容易に可能とすることを目的とする。
【課題を解決するための手段】
【０００７】
次に、上記の課題を解決するための手段を、実施の形態に対応する図面を参照して説明する。
本発明の請求項１記載のシャッターの巻取部の構造は、筒状の巻取シャフト１９と、
該巻取シャフト１９の周方向の一部分に軸線方向に沿って形成された一対の平行な段部付縁部３７，３９と、
シート状の開閉体２３と、
前記開閉体２３の厚みｔ１より大きい厚みｔ２で形成され、該開閉体２３の吊元側となる端縁２３ａに沿って固着された抜止部材４５と、
前記軸線方向に沿って平行な両端縁部４３ａ，４３ｂを前記一対の段部付縁部３７，３９の各段部３７ａ，３９ａに載置して止着されるとともに、前記開閉体２３の厚みｔ１より大きく抜止部材４５の厚みｔ２より小さいスリット開口５１を有し、側部開口５５から挿入された前記抜止部材４５を介し開閉体２３の端縁２３ａを抜止保持する保持溝部５３を備え、該保持溝部５３のスリット開口５１が前記開閉体２３の繰り出し方向に開口している吊元部材４３と、
を具備し、
前記一対の平行な段部付縁部３７，３９は、前記巻取シャフト１９の外周面から半径方向に低所となる位置に周方向に間隔をおいて対称方向に略Ｌ字状に形成され、
前記吊元部材４３は、前記一対の段部付縁部３７，３９の各段部内に載置された状態において、吊元部材４３の一方の端縁部が一方の段部に止着手段により止着されるとともに、前記抜止保持された前記開閉体の自重により吊元部材４３が引っ張られて、吊元部材４３の他方の端縁部が他方の段部の起立面４０に当接されて掛止された状態になることを特徴とする。
請求項２記載のシャッターの巻取部の構造は、請求項１記載のシャッターの巻取部の構造であって、前記巻取シャフトは、軸の外周に、半径方向に複数の支持板を介して巻筒が支持固定された構造であり、隣接する支持板の間に前記一対の平行な段部付縁部が設けられていることを特徴とする。
請求項３記載のシャッターの巻取部の構造は、請求項１又は２記載のシャッターの巻取部の構造であって、
前記吊元部材には、その前記一方の端縁部に沿って、吊元部材の両端にわたって、前記止着手段が止着される切欠溝が形成されていることを特徴とする。
【０００８】
このシャッターの巻取部の構造では、抜止部材４５を開閉体２３の端縁２３ａに沿って設けたことで、真直さを維持した状態で吊元部材４３に連結状態となり、この開閉体２３を巻取シャフト１９に取り付ける場合に、一対の段部付縁部３７，３９が鉛直面よりも上を向く姿勢となるように巻取シャフト１９が回転配置されることで、一対の段部付縁部３７，３９に両端縁部４３ａ，４３ｂを載せ置いた吊元部材４３が、開閉体２３の自重により開閉体繰り出し側となる一方の段部付縁部３７の段部３７ａに引っ掛かり、開閉体２３が吊元部材４３を介して巻取シャフト１９に引っ掛け可能となる。
請求項２の構造では、一対の段部付縁部３７，３９が強固に形成される。
請求項３の構造では、切欠溝の存在により止着手段の止着位置が明確になる。
【０００９】
請求項４記載のシャッターの巻取部の構造は、請求項１乃至３のいずれか１つに記載のシャッターの巻取部の構造であって、
前記吊元部材４３Ａが、前記巻取シャフト１９の周面に沿う湾曲面で構成されていることを特徴とする。
【００１０】
このシャッターの巻取部の構造では、周方向の一部分に一対の段部付縁部３７，３９が形成されることで、分断された巻取シャフト１９の円周面に、一対の段部付縁部３７，３９に湾曲した吊元部材４３Ａが止着されることで、巻取シャフト１９の周面が略連続した周面となる。
【００１１】
請求項５記載のシャッターの巻取部の構造は、請求項１乃至４のいずれか１つに記載のシャッターの巻取部の構造であって、
前記吊元部材４３Ａの前記保持溝部５３に沿う一方の端縁部４３ａには、開閉体繰り出し側の一方の前記段部付縁部３７に係止する係止爪６３が設けられたことを特徴とする。
【００１２】
このシャッターの巻取部の構造では、開閉体２３の自重で繰り出し方向に引っ張られる吊元部材４３Ａが、保持溝部５３に沿う一方の端縁部４３ａに設けられた係止爪６３にて、開閉体繰り出し側の一方の段部付縁部３７に係止し、巻取シャフト１９に対する吊元部材４３Ａの取り付け時に仮保持が可能となり、開閉体２３の取り付け作業の煩雑さが減少する。
【００１３】
請求項６記載のシャッターの巻取部の構造は、請求項１乃至５のいずれか１つに記載のシャッターの巻取部の構造であって、
前記抜止部材４５が、ファスナーの一対の務歯列をなす一方の係合子群４７であることを特徴とする。
【００１４】
このシャッターの巻取部の構造では、厚さの薄いシート状開閉体２３の端縁である上縁２３ａに、開閉体２３の自重を支持することのできる高強度の抜止部材４５が、ファスナー用務歯列の固着技術により容易かつ安価に連続形成可能となる。
【発明の効果】
【００１５】
本発明に係る請求項１記載のシャッターの巻取部の構造によれば、巻取シャフトに一対の段部付縁部を設け、開閉体端縁に抜止部材を固着し、段部付縁部へ止着される吊元部材に、開閉体端縁を抜止保持する保持溝部を設けたので、シート状の開閉体の端縁は真直な状態を維持でき、巻取シャフトに開閉体が吊元部材を介して引っ掛けられ、固定しなくても両手を放せるように、すなわち仮止めが可能となり、開閉体を容易かつ正確に位置決めしてつり込むことができる。この結果、作業人員の大幅な削減、さらには一人施工が容易に可能となる。
請求項２の構造では、一対の段部付縁部３７，３９が強固に形成される。
請求項３の構造では、切欠溝の存在により止着手段の止着位置が明確になる。
【００１６】
請求項４記載のシャッターの巻取部の構造によれば、吊元部材が、巻取シャフトの周面に沿って湾曲形成されているので、巻取シャフトの周面が略連続面に構成でき、これにより巻取中心からの巻取面の距離の変位が回転に伴って略連続する渦巻き状となり、巻取シャフト回転時のトルク変動を減少させ、振動の発生や騒音の発生を抑止できるとともに、開閉体に巻き跡のつくことを防止できる。
【００１７】
請求項５記載のシャッターの巻取部の構造によれば、吊元部材の保持溝部に沿う一方の端縁部に、開閉体繰り出し側の一方の段部付縁部に係止する係止爪を設けたので、係止爪が一方の段部付縁部に係止することで、吊元部材を巻取シャフトに確実に仮保持させることが可能となり、この開閉体の取り付け作業時の煩雑さが減少でき、さらにはその作業に対して片手または両手を放すことも可能となり、作業性の向上とともに安全性の向上、作業人員の削減、時間短縮など施工の改善を図ることが可能となる。
【００１８】
請求項６記載のシャッターの巻取部の構造によれば、抜止部材が、ファスナーの一対の務歯列をなす一方の係合子群であるので、高強度な抜止部材を開閉体の端縁に容易に連続形成することができる。また、開閉体の吊元部材への取り付けの際も煩雑なことがなく、容易に構成することが可能となる。
【図面の簡単な説明】
【００１９】
【図１】本発明に係る巻取部の構造を備えたシャッターの側断面図である。
【図２】図１に示した巻取シャフトの分解斜視図である。
【図３】シート状シャッターカーテンの装着状況を表した斜視図である。
【図４】図３に示した吊元部材の側面図である。
【図５】吊元部材の取付手順を（ａ）（ｂ）に表した巻取シャフトの要部側面図である。
【図６】他の実施の形態による巻取シャフトの分解斜視図である。
【図７】図６に示した吊元部材の側面図である。
【図８】図７に示した吊元部材の取付手順を（ａ）（ｂ）に表した巻取シャフトの要部側面図である。
【発明を実施するための形態】
【００２０】
以下、本発明の実施の形態を図面を参照して説明する。
図１は本発明に係る巻取部の構造を備えたシャッターの側断面図である。
開口部１１の設けられた建物躯体１３の上部には、例えば下地部材１５を介してシャッターケース１７が取り付けられ、シャッターケース１７は不図示のモーター等で構成される開閉機により回転される巻取シャフト１９を内設する。開口部１１の左右両側にはシャッターケース１７の下端より延設される一対のガイドレール２１が取り付けられ、ガイドレール２１は巻取シャフト１９に巻装されシャッターケース１７に対し巻き取り、繰り出されるシート状シャッターカーテン（以下、「シャッターカーテン」とも称す。）２３の左右両側の縁部をガイドする。シャッターケース１７には正面側に上下に分割されて開閉自在となった点検カバー２５，２７が設けられ、点検カバー２５，２７は取り外すなどで開放することによりシャッターケース１７内の巻取シャフト１９や開閉機への点検作業を可能とする。
【００２１】
図２は図１に示した巻取シャフトの分解斜視図である。
巻取シャフト１９は、軸２９を介してシャッターケース１７に支持される。巻取シャフト１９は、軸２９を中心に円筒状の巻筒３１が支持板３３にて支持固定される。支持板３３は、巻筒３１の円周方向４箇所を等間隔に支持する。巻取シャフト１９の周方向の一部分には、軸線３５の方向に沿って一対の平行な段部付縁部３７，３９が対称に形成される。
【００２２】
段部付縁部３７，３９は、巻筒３１における外周面の隣接する支持板３３，３３の間に設けられている。すなわち、隣接する支持板３３，３３の間の巻筒３１の外周面を軸線３５に沿って開口部４１として除去し、この開口部４１を周方向ａで挟む平行な一対の縁部を段部付縁部３７，３９としている。それぞれの段部付縁部３７，３９には、半径方向の内側へ低所となる段部３７ａ，３９ａが略Ｌ字状に形成されている。段部３７ａ，３９ａは、巻筒３１の軸線３５に沿う方向の全長に渡って形成される。この段部付縁部３７，３９には、吊元部材４３を介してシャッターカーテン２３が連結される。
【００２３】
図３はシート状シャッターカーテンの装着状況を表した斜視図である。
シート状の開閉体であるシャッターカーテン２３は、四角形に形成される。シャッターカーテン２３は、例えば厚さｔ１が０．８〜１ｍｍの軟質な塩化ビニル樹脂などのシート材よりなる。この他、シャッターカーテン２３は、他の樹脂にて構成されるシート材や、ゴムシート材、織布や、樹脂製ネットスクリーン、金属製ネットスクリーン、シリカクロス、ガラスクロスなどを素材とする構成や、これら素材を複合や積層させた素材などとしてもよく、さらには、このシャッターカーテン２３を構成する素材を、耐火性，防火性，防炎性を有する素材とすることもできる。
また複数のシート材を連結して一枚のシャッターカーテンとしてもよい。
また、シャッターカーテン２３には人等が通過できる切り欠きや開口、スリットを設けたり、さらにこの切り欠きや開口、スリットを開閉自在にすることができる可撓性を有する閉鎖部材、塞ぎ部材、ファスナー等を設けることも可能である。
【００２４】
このシャッターカーテン２３の吊元側となる端縁としての上縁２３ａには、上縁２３ａに沿って抜止部材４５が固着される。本実施の形態では、抜止部材４５が、線ファスナーの一対の務歯列をなす一方の係合子群４７で形成されている。図例では複数の係合子４７ａが並設される係合子群４７を示すが、この他、螺旋状の係合子とすることもできる。抜止部材４５として係合子群４７を採用することで、厚みの薄いシャッターカーテン２３の上縁２３ａに、シャッターカーテン２３の自重を支持することのできる高強度の抜止部材４５が、ファスナー用務歯列の固着技術により容易かつ安価に上縁２３ａに沿って真直に連続形成可能となる。この係合子群４７を固着したシャッターカーテン２３の上縁２３ａは、吊元部材４３に係合支持可能となる。
係合子群４７のシャッターカーテン２３の上縁２３ａへの設置は、係合子群４７を直接シャッターカーテン２３の上縁２３ａに形成するようにしてもよいし、テープ状部材に係合子群４７を形成してテープ状部材をシャッターカーテン２３の上縁２３ａに縫着、溶着、接着などによって連結するようにしてもよい。
テープ状部材に係合子群４７を形成したようなものは、一般的な線ファスナーの部品として入手しやすいものがあるため、このような線ファスナー用の部品を用いてもよい。
また、抜止部材は務歯列の代わりにレールファスナー用雄片のような、連続する凸条で形成されていてもよい。
【００２５】
図４は図３に示した吊元部材の側面図である。
吊元部材４３は、開口部４１を覆うようにして巻筒３１に取り付けられる。吊元部材４３は、巻筒３１の軸線３５の方向に沿って長尺に形成される。吊元部材４３の長手方向の全長は、巻筒３１の軸線３５に沿う方向の全長と一致する。吊元部材４３の軸線３５と平行な両端縁部４３ａ，４３ｂは、上記した一対の段部付縁部３７，３９の各段部３７ａ，３９ａに載置される。段部３７ａ，３９ａに載置された両端縁部４３ａ，４３ｂは、一方の端縁部４３ｂがビスにて段部３９ａに固定される。
【００２６】
吊元部材４３の一方の端縁部４３ｂには断面Ｖ字状の切欠溝４９が、吊元部材４３の長手方向両端にわたって形成されている。この切欠溝４９は、タッピングビスが容易に位置決めできるようになっている。つまり、吊元部材４３の一方の端縁部４３ｂは、切欠溝４９の位置であれば、長手方向任意の位置で、ビスにより巻取シャフト１９の巻筒３１へ締着できるようになっている。
【００２７】
吊元部材４３の他方の端縁部４３ａにはスリット開口５１を有した保持溝部５３が形成されている。スリット開口５１は、シャッターカーテン２３の厚みｔ１より大きく抜止部材４５の厚みｔ２（図３参照）より小さい。これにより、スリット開口５１は、側部開口５５から挿入された抜止部材４５を介しシャッターカーテン２３の上縁２３ａを保持溝部５３にて抜止保持することができる。
【００２８】
本実施の形態では、保持溝部５３が、溝幅の等しい断面コ字状の溝で形成されている。このコ字溝の溝開口近傍には一対の突起部５７，５７が対向して設けられている。突起部５７，５７のスリット奥側は抜止部材４５を内包できる空間を有している。これにより、コ字溝内に挿入された係合子群４７が、突起部５７，５７にて脱落規制され、シャッターカーテン２３の上縁２３ａが抜止保持される構造となっている。
また、保持溝部５３の他方の端縁部４３ａと同一面の片の端部４３ｃは突起部５７よりも延出している。
【００２９】
次に、この実施の形態に係る巻取部の構造において、シャッターカーテン２３を取り付ける手順を説明する。
図５は吊元部材の取付手順を（ａ）（ｂ）に表した巻取シャフトの要部側面図である。
先ず、図３に示すように、シャッターカーテン２３の抜止部材４５を、吊元部材４３の側部開口５５から挿入して、吊元部材４３の保持溝部５３にシャッターカーテン２３の上縁２３ａを取り付ける。
【００３０】
次いで、図５（ａ）に示すように、開口部４１が上を向く姿勢で回転した巻取シャフト１９に、シャッターカーテン２３を取り付けた上記吊元部材４３を取り付ける。吊元部材４３の取り付けは、シャッターカーテン２３を垂らした状態で、他方の端縁部４３ａを段部３７ａの起立面４０（基準位置）に当てる。シャッターカーテン２３は、重力の作用により吊元部材４３を引っ張ることにより、吊元部材４３の他方の端縁部４３ａが起立面４０に当接して引っ掛かり、段部３７ａに掛止された状態に仮保持される。
【００３１】
この状態で、シャッターカーテン２３の重さが巻取シャフト１９にあずけられるので、作業者は、掛止された状態が解除されないように注意しながら片手または巻取シャフト１９がロックされていれば両手を放すことが可能となり、ドライバ等の工具を用意することができる。つまり、一人施工が可能となる。シャッターカーテン２３の吊元部の取り付けは、予め巻取シャフト１９を躯体に取り付けたシャッターケースに支持させた状態で脚立等を使用した高所で行われることが多いため、このようにある程度の重量を有するシャッターカーテン２３が巻取シャフト１９の所定位置に仮保持され、片手または両手が放せる状態となることは、作業性、安全性に大きく寄与することになる。また、作業者が複数であった場合でも、シャッターカーテン２３の落下を懸念し常に押さえ付けて支持している必要がなく、手を添える程度の仮保持状態で作業を補助することが可能となる。
【００３２】
次いで、図５（ｂ）に示すように、浮上している一方の端縁部４３ｂを段部３９ａに押し当てビス５４にて締結し、シャッターカーテン２３の巻取シャフト１９への取付けを完了する。
【００３３】
このシャッターの巻取部の構造では、一対の段部付縁部３７，３９が鉛直面よりも上を向く姿勢となる、すなわち、段部３７ａ，３９ａが上向きの傾斜となるよるように巻取シャフト１９が回転配置されることで、一対の段部付縁部３７，３９に両端縁部４３ａ，４３ｂを載せ置いた吊元部材４３が、シャッターカーテン２３の自重により開閉体繰り出し側となる一方の段部付縁部３７の段部３７ａに引っ掛かり、シャッターカーテン２３が吊元部材４３を介して巻取シャフト１９に引っ掛け可能となる。
【００３４】
したがって、本実施の形態によるシャッターの巻取部の構造によれば、巻取シャフト１９に一対の段部付縁部３７，３９を設け、シャッターカーテン上縁２３ａに抜止部材４５を固着し、段部付縁部３７，３９へビス止めされる吊元部材４３に、シャッターカーテン上縁２３ａを抜止保持する保持溝部５３を設けたので、巻取シャフト１９にシャッターカーテン２３が吊元部材４３を介して引っ掛けられ、固定しなくても片手または両手を放せるようになり、シャッターカーテン２３を容易かつ正確に位置決めしてつり込むことができる。この結果、作業者人数の削減、或いは一人施工が容易に可能となる。
【００３５】
また、従来のシャッターの巻取部の構造では、柔らかいシートにビスを貫通して直接固定するため、特にメンテナンス等で着脱が繰り返されると、強度を低下させる場合があった。またビス間部分のシートが弛み、シャッターカーテン全体的にこの弛みに起因するしわが波及することがあった。これに対し、本実施の形態によるシャッターの巻取部の構造は、係合子群４７をシート状シャッターカーテン２３の上縁２３ａに取付け、この係合子群４７を抜止として吊元部材４３に支持するので、メンテナンス等で着脱が繰り返されても高い連結強度を維持でき、耐久性を大幅に向上させることができる。
また、シャッターカーテン２３の上縁を略連続して吊元部材に係合するため、シャッターカーテン２３の吊元部分の弛みに起因するしわが発生しにくくすることができる。
シャッターカーテンが抜止部材４５部分において幅方向にずれないためには、追加して次のような対策を用いることが可能である。
・側部開口５５を狭める。或いは塞ぐ。
・シャッターカーテンの抜止部材付近を巻取シャフト周面に止着，接着等する。
【００３６】
次に、本発明に係る巻取部の構造の他の実施の形態を説明する。
図６は他の実施の形態による巻取シャフトの分解斜視図である。なお、図１〜図５に示した部材と同一の部材には同一の符号を付し重複する説明は省略する。
この実施の形態によるシャッターの巻取部の構造は、吊元部材４３Ａが、上記の吊元部材４３と異なる。他の構成は上記したシャッターの巻取部の構造と同様である。
【００３７】
図７は図６に示した吊元部材の側面図である。
この実施の形態による吊元部材４３Ａは、巻取シャフト１９の周面に沿って湾曲して形成されている。周方向ａの一部分に一対の段部付縁部３７，３９が形成されることで、開口部４１にて分断された巻取シャフト１９の円周面が、一対の段部付縁部３７，３９に湾曲した吊元部材４３Ａがビス５４にて固定されることで、巻取シャフト１９の周面が再び円周面となる。
【００３８】
湾曲した吊元部材４３Ａによれば、巻取シャフト１９の周面を略連続面にでき、これにより巻取中心からの巻取面の距離の変位を回転に伴って略連続する渦巻き状に構成でき、巻取シャフト回転時のトルク変動をなくし、回転による振動の発生や騒音の発生を防止できるとともに、シャッターカーテン２３に巻き跡のつくことを防止できる。
【００３９】
また、吊元部材４３Ａの保持溝部５３に沿う端縁部４３ａには、シャッターカーテン繰り出し側の段部付縁部３７に係止する係止爪６３が設けられている。係止爪６３を備えた吊元部材４３Ａによれば、シャッターカーテン２３の自重で繰り出し方向に引っ張られる吊元部材４３Ａが、係止爪６３にて、開閉体繰り出し側の段部付縁部３７に係止し、巻取シャフト１９に対する吊元部材４３Ａを介したシャッターカーテン２３の保持がより確実に行えるようになっている。
係止爪６３の突出方向は、吊元部材４３Ａが巻取シャフト１９に取り付けられ係止爪６３がシャッターカーテン繰り出し側の段部付縁部３７に係止した状態で、巻取シャフト１９の周方向でシャッターカーテンの繰り出し方向に近い方向となっている。
なお、係止爪６３は、シャッターカーテン繰り出し側の段部付縁部３７に係止した状態でシャッターカーテン繰り出し側の段部付縁部３７よりも巻取シャフト１９の内側に位置する。
【００４０】
図８は図７に示した吊元部材の取付手順を（ａ）（ｂ）に表した巻取シャフトの要部側面図である。
このシャッターの巻取部の構造では、図８（ａ）に示すように、一対の段部付縁部３７，３９が略鉛直面上に位置する姿勢となるように巻取シャフト１９を回転配置し、係止爪６３を一方の段部付縁部３７に引っ掛けて、吊元部材４３Ａを介してシャッターカーテン２３を仮保持することが可能となる。
【００４１】
この状態で、作業者は、片手または巻取シャフト１９がロックされていれば両手を放すことが可能となり、図８（ｂ）に示すように、浮上している端縁部４３ｂを段部３９ａに押し当てビス５４にて締着し、シャッターカーテン２３の巻取シャフト１９への取付けを完了する。
【００４２】
この実施の形態によるシャッターの巻取部の構造によれば、開口部４１が略水平方向に向く巻取シャフト１９の回転姿勢においても、吊元部材４３Ａを巻取シャフト１９に確実に仮保持し、安心して片手または両手を放すことができる。すなわち、シャッターケース１７の点検カバー２５，２７が開放する向きで巻取シャフト１９の回転姿勢を停止して作業が可能であり、これにより、ビス５４を水平方向から締め付け作業できるようになり、巻取部における取付作業をより容易にすることができる。また、この吊元部材４３Ａでは、シャッターカーテン２３の上縁２３ａに取り付けられた状態で作業者が巻取シャフト１９に向いた際に視認不可能な面となる端縁部４３ａが、係止爪６３の存在により、段部付縁部３７への掛止を容易なものとし、その作業性を格段に向上させることが可能となる。
【００４３】
なお、上述した各実施の形態では、吊元部材４３，４３Ａの巻取シャフト１９への止着を、ビス５３による締着として着脱可能な構成としたが、この止着の手段としては、リベット等の他の止着手段にて構成してもよい。
【００４４】
また、吊元部材４３，４３Ａの保持溝部５３に対して側部開口５５から抜止部材４５を挿入し、シャッターカーテン２３の上縁２３ａを保持溝部５３に対して抜止保持するように構成する例について述べたが、この保持溝部５３をカシメ等でつぶしたり、或いは側部開口５５を塞ぐなどして、抜止部材４５が保持溝部５３に沿って移動しないように構成することとしてもよい。
【００４５】
また、吊元部材４３，４３Ａの他方の端縁部４３ａが起立面４０に当接し、一方の端縁部４３ｂが段部３９ａに押し当てられた状態、すなわち巻取シャフト１９にこの吊元部材４３，４３Ａが取り付けられた状態では、吊元部材４３，４３Ａの保持溝部５５から延出するシャッターカーテン２３が巻取シャフト１９の外部に支障なく導かれるように、起立面４０や巻取シャフト１９の外周面、吊元部材４３のそれぞれの形状にて間隙が形成されており、この間隙はシャッターカーテン２３の厚みｔ１よりも大きくなるよう設定されることが好ましい。
【符号の説明】
【００４６】
１９…巻取シャフト
２３…開閉体（シャッターカーテン）
２３ａ…上縁
３５…軸線
３７，３９…段部付縁部
３７ａ，３９ａ…段部
４３…吊元部材
４３ａ，４３ｂ…両端縁部
４５…抜止部材
４７…係合子群
５１…スリット開口
５３…保持溝部
５４…ビス
５５…側部開口
６３…係止爪
ａ…周方向
ｔ１…開閉体の厚み
ｔ２…抜止部材の厚み
【図１】
0005390335.tif 000002
【図２】
0005390335.tif 000003
【図３】
0005390335.tif 000004
【図４】
0005390335.tif 000005
【図５】
0005390335.tif 000006
【図６】
0005390335.tif 000007
【図７】
0005390335.tif 000008
【図８】
0005390335.tif 000009